(57)【要約】【課題】キャップ本体の上端部に付着している液体の飛散を確実に防止することが可能になり、しかも、用途の変更や他の容器への適用も可能になる飛散防止用容器蓋の提供を目的とする。【解決手段】キャップ本体１の周囲上端面１Ａよりも内側上面に、前記上蓋２に係合する係合突部３を周設する。該係合突部３に複数の溝を設けてキャップ本体１周囲上端面１Ａ上の残留液体が移動する受溝部４とする。前記上蓋２の周囲下端面２Ａの内側に傾斜２Ｂを設ける。該上蓋２の周囲下端面２Ａの外周側が前記キャップ本体の周囲上端面に接触するように設ける。キャップ本体１の周囲上端面１Ａに、上蓋２の周囲下端面２Ａが接触したときに、キャップ本体１の周囲上端面１Ａに付着した液体が受溝部４がわへ飛散するように設ける。【選択図】図３
2006117273.tif 000002
【特許請求の範囲】
【請求項１】
容器口部に装着されるキャップ本体と、該キャップ本体に揺動自在に連結された上蓋とから成り、キャップ本体の周囲上端面に、上蓋の周囲下端面が接触してキャップ本体を施蓋する容器蓋において、前記キャップ本体の周囲上端面よりも内側上面に、前記上蓋に係合する係合突部を周設し、該係合突部に複数の溝を設けてキャップ本体周囲上端面上の残留液体が移動する受溝部とし、前記上蓋の周囲下端面の内側に傾斜を設け、該上蓋の周囲下端面の外周側が、前記キャップ本体の周囲上端面に接触するように設けたことを特徴とする飛散防止用容器蓋。
【請求項２】
前記係合突部の外周に係合部を設けると共に、前記上蓋の周壁内側面に係合凹部を設け、係合部に係合凹部を係合させて上蓋をキャップ本体に固定する請求項１記載の飛散防止用容器蓋。
【請求項３】
前記係合突部において、前記受溝部で等間隔に分断される各係合突部の幅を３mm〜５mm間隔に設定する請求項１記載の飛散防止用容器蓋。
【発明の詳細な説明】
【技術分野】
【０００１】
本発明は、例えば、食用油、ドレッシング、ソース、めんつゆ、たれ等の液状物を収納する容器に装着する飛散防止用容器蓋に係り、使用後、蓋を閉じる際に収納物の飛散を防止する飛散防止用容器蓋に関する。
【背景技術】
【０００２】
従来のキャップにおいて、キャップ本体１０を上蓋２０で施蓋すると、キャップ本体１０の周囲上端面１０Ａに、上蓋２０の周囲下端面２０Ａが接触したときに、キャップ本体１０の周囲上端面１０Ａに残留した液体が飛散することが知られている（図７参照）。
【０００３】
そこで、蓋を閉じる際に収納物の飛散を防止する構造を有する容器蓋として、例えば特許文献１及び特許文献２に記載された容器蓋等が提案されている。
【０００４】
特許文献１の容器蓋は、上蓋を閉じた際に天井壁周縁部に流れ出た液の飛散を防止する
もので、上蓋を閉じた状態において、前記傾斜面が形成されている領域においては、前記スカート壁の下端面の一部のみが、天井壁周縁部の上面と当接する構成を採用している。この容器蓋によると、キャップ本体の天井壁周縁に、下方に傾斜した傾斜面が形成されているため、液注ぎ出し用の案内となる周状突起の周囲から液が垂れ落ちたとしても、この液は、該天井壁周縁に留まることなく、傾斜面に沿って流れ落ちる。仮に液の一部が天井壁周縁の水平な部分に留まっていた場合にも、その量は極めて少量となる。また、周状突起の周囲から垂れ落ちた液は、該蓋を閉じた時に傾斜面に沿って下方に落下し、水平方向に飛ぶものではない。従って、少量の液が飛散したとしても下方に落下するものであるから、液の飛散によって使用者の衣服等が汚れるおそれはないというものである。
【０００５】
一方、特許文献２に記載された飛散防止キャップにおいては、容器の内容物が流出するノズルの周囲を囲む飛散防止壁を設けたものである。この飛散防止壁は、蓋体の内側面に設けられており、蓋体を閉じる際に、この飛散防止壁がノズルの周囲を囲むように設けている。
【特許文献１】特許第３１９２３３５号公報
【特許文献２】実開昭６３−１４４４５７号公報
【発明の開示】
【発明が解決しようとする課題】
【０００６】
特許文献１の容器蓋に記載された構成によると、周状突起の周囲から垂れ落ちた液は、該蓋を閉じた時に傾斜面に沿って下方に落下し、天井壁周縁の水平な部分に留まっていた場合にも、その量は極めて少量となり、少量の液が飛散したとしても下方に落下するものであるとしている。ところが、少量の液が飛散することは避けられず、飛散の状態によっては、衣服に染みが付着するおそれは、完全に払拭されていない。
【０００７】
また、特許文献２に記載の飛散防止キャップでは、蓋体を閉じる際に、この飛散防止壁がノズルの周囲を囲むように設けているが、この飛散防止壁や、蓋の周囲縁が容器のキャップ本体上端部に接触する際に、この上端部に付着している液体をはじき飛ばす構造になっている。したがって、キャップ本体の上端部に付着している液体の飛散を完全に防止することは困難であった。
【０００８】
このように、従来から飛散防止用の容器蓋が提案されているが、飛散を完全に防止し得る容器蓋は未だ提案されていない。そこで本発明は、上述の課題を解消すべく創出されたもので、キャップ本体の上端部に付着している液体の飛散を完全に防止することが可能な飛散防止用容器蓋の提供を目的とするものである。
【課題を解決するための手段】
【０００９】
本発明の第１の手段は、容器口部に装着されるキャップ本体１と、該キャップ本体１に揺動自在に連結された上蓋２とから成り、キャップ本体１の周囲上端面１Ａに、上蓋２の周囲下端面２Ａが接触してキャップ本体１を施蓋する容器蓋において、前記キャップ本体１の周囲上端面１Ａよりも内側上面に、前記上蓋２に係合する係合突部３を周設し、該係合突部３に複数の溝を設けてキャップ本体１周囲上端面１Ａ上の残留液体が移動する受溝部４とし、前記上蓋２の周囲下端面２Ａの内側に傾斜２Ｂを設け、該上蓋２の周囲下端面２Ａの外周側が、前記キャップ本体の周囲上端面に接触するように設けたことにある。
【００１０】
第２の手段は、前記係合突部３の外周に係合部３Ａを設けると共に、前記上蓋２の周壁５内側面に係合凹部５Ａを設け、係合部３Ａに係合凹部５Ａを係合させて上蓋２をキャップ本体１に固定する。
【００１１】
第３の手段は、前記係合突部３において、前記受溝部４で等間隔に分断される各係合突部３の幅を３mm〜５mm間隔に設定することを課題解消のための手段とする。
【発明の効果】
【００１２】
本発明の請求項１により、キャップ本体１の周囲上端面１Ａに残留する液体の多くは、受溝部４の中に移動する。また、キャップ本体１の周囲上端面１Ａに上蓋２の周囲下端面２Ａが接触する際に、周囲下端面２Ａの接触面積が極めて少なく、且つ周囲下端面２Ａの傾斜２Ｂが受溝部４方向を向いていることから、僅かに残った残留液体もキャップ本体１の外部に飛散するおそれは解消し、略完璧な飛散防止効果が得られる。
【００１３】
また、本発明の請求項２により、キャップ本体１と上蓋２とは係合突部３によって強固に固定することが可能であるから、本発明容器蓋は、あらゆる容器に使用することが可能になるものである。
【００１４】
更に、請求項３によると、キャップ本体１の周囲上端面１Ａ上の係合突条３付近の残留液体の量を極力少なくすると共に、係合突部３における施蓋時の係合力を十分に発揮することができるものである。
【００１５】
このように、本発明によると、キャップ本体の上端部に付着している液体の飛散を完全に防止することが可能になり、しかも、あらゆる用途への変更が可能になるなどといった種々の効果を奏するものである。
【発明を実施するための最良の形態】
【００１６】
本発明の最良の形態は、キャップ本体１の周囲上端面１Ａより内側上面に、上蓋２に係合する係合突部３を周設する。該係合突部３に複数の溝を設けて残留液体が移動する受溝部４とする。前記上蓋の周囲下端縁の内側に傾斜を設ける。前記係合突部３の外周に係合部３Ａを設けると共に、前記上蓋２の周壁５内側面に係合凹部５Ａを設ける。受溝部４で等間隔に分断される各係合突部３の幅を約４mm間隔に設定することで当初の目的を達成するものである。
【実施例】
【００１７】
本発明容器蓋は、容器口部に装着されるキャップ本体１と、該キャップ本体１に揺動自在に連結された上蓋２とから成る、所謂ヒンジ付きキャップにおいて使用されるものである（図１参照）。更に、本発明容器蓋は、キャップ本体１の周囲上端面１Ａに、上蓋２の周囲下端面２Ａが接触してキャップ本体１を施蓋する容器蓋に関するもので、キャップ本体１における抽出口の形状や上蓋２の内部構造等についてはどのような構成のものでもよい。
【００１８】
すなわち、本発明のキャップ本体１の周囲上端面１Ａは、本発明上蓋２の周囲下端面２Ａと接触するように設けている（図３参照）。そして、このキャップ本体１の周囲上端面１Ａよりも内側、すなわちキャップ本体１の中心に近い方向へわずかにずれた位置の上面に、前記上蓋２に係合する係合突部３を周設している。したがって、周囲上端面１Ａと係合突部３を設けた位置は略同一面となっている。このキャップ本体１の周囲上端面１Ａは、外周部分から内側に向けて低くなるようにわずかに傾斜しており（図３参照）、この周囲上端面１Ａに残留する液体は、外周部分より内側の係合突部３方向に集まるようになっている。
【００１９】
この係合突部３には、複数の溝を設けてあり、この溝を残留した液体の受溝部４としている（図２参照）。すなわち、キャップ本体１の周囲上端面１Ａに残留した液体は、周囲上端面１Ａの傾斜によって係合突部３方向へ集まり、更に、係合突部３に設けた受溝部４の内部に移動するものである。このとき、受溝部４にて等間隔に分断された係合突部３の幅Ｈがあまり広いと、受溝部４が狭くなり残留していた液体を受け入れ難くなる。その一方で、係合突部３があまり狭いと上蓋２との十分な係合力が得られなくなる。そこで、実験によると、各係合突部３の幅Ｈは、３mm〜５mm幅に設定するのが望ましく、この幅Ｈを４mmしたときに、外部への飛散はなくなり十分な係合力が得られる（図４参照）。尤も、この係合突部３の幅Ｈは、キャップの材質や直径などにより適宜に変更できるものである。
【００２０】
図示例の受溝部４は、凹状に形成し、各係合突部３が環状部３Ｂにて一部連続するように設けている（図２参照）。このような環状部３Ｂを設けることで、各係合突部３の係合強度を高めることができる。また、係合突部３や受溝部４の形状は図６に示す如く、任意に設定することができる。すなわち、同図（イ）に示す如く、係合突部３、及び受溝部４のいずれも角張った形状、同図（ロ）に示す如く、係合突部３が角張って受溝部４が略円弧状を成す形状、同図（ハ）に示す如く、係合突部３及び受溝部４のいずれも丸みを帯びた形状などである。更に、環状部３Ｂを設けずに、各代係合突部３が独立するように受溝部４を設けても良い（図示せず）。この場合、受溝部４がわに押しやられた液体は、受溝部４を通過してキャップ本体１の更に内側へと移動することになる。尚、この受溝部４は、液体の飛散が生じる位置に設けるものである。したがって、キャップ本体１の中心から上蓋２の中心を通る仮想線を中心として左右に30度の範囲にある係合突部３に受溝部４を設ける必要がない（図５参照）。
【００２１】
更に、係合突部３の外周に係合部３Ａを設けている（図３参照）。この係合部３Ａは、上蓋２をキャップ本体１に固定する際に、上蓋２に係合するものである。そのため、上蓋２の周壁５内側面に係合凹部５Ａを設けてあり、この係合凹部５Ａに係合部３Ａを係合することで、より確実な係合力を得られるようにしている。
【００２２】
一方、上蓋２では、上蓋２の周囲下端面２Ａの内側に傾斜２Ｂを設けている（図３参照）。この傾斜２Ｂは、受溝部４方向を向くように形成され、この上蓋２周囲下端面２Ａの外周側で、傾斜２Ｂの下端がキャップ本体１の周囲上端面１Ａに接触するように設けている。このように設けることで、上蓋２がキャップ本体１に接触した際に、キャップ本体１の周囲上端面１Ａ上にわずかに残留している液体を、傾斜２Ｂ方向、すなわち前記受溝部４方向に押しやるものとなる。また、前記係合凹部５Ａに係合部３Ａを係合したときに、傾斜２Ｂの下端部が、前記キャップ本体の周囲上端面に強く接触するので、上蓋２とキャップ本体１との隙間を開けることなく、密着状態に施蓋することが可能になる。
【００２３】
図８（イ）は、本発明容器蓋における飛散防止効果を示し、同図（ロ）は、図７に示す従来のキャップ飛散状態を示す参考写真である。この実験は、容器から液体を抽出した後、容器蓋をはずし、用紙の上で上蓋２を施蓋した状態を写真撮影したものである。同図（ロ）に示す如く、従来の容器蓋では、多くの飛散が見られるが、同図（イ）に示す如く、本発明容器蓋によると、全く飛散していないことがわかる。
【００２４】
尚、実施例では、容器の口部に装着するキャップ体１と、該キャップ体１の一端にヒンジ６を介して連結された蓋体１とからなるヒンジ付きキャップに基づいて説明したが、図示例の各構成は、本発明の一実施例に過ぎず、キャップ本体１や上蓋２の寸法における設計変更は勿論のこと、本発明の主要構成部以外の設計変更、材質の転換及び形態の変更など、現在知られている技術範囲で自由に変更することができるものである。
【図面の簡単な説明】
【００２５】
【図１】本発明容器蓋の一実施例を示す斜視図である。
【図２】本発明容器蓋の一実施例を示す平面図である。
【図３】本発明容器蓋の一実施例を示す要部断面図である。
【図４】本発明の係合突条を示す要部平面図である。
【図５】本発明の受溝部を示す平面図である。
【図６】本発明の受溝部の他の実施例を示す要部平面図である。
【図７】従来の容器蓋の一実施例を示す要部断面図である。
【図８】本発明と従来の容器蓋の飛散状態を示す参考写真である。
【符号の説明】
【００２６】
Ｈ  係合突条の幅
１  キャップ本体        １Ａ  周囲上端面
２  上蓋                ２Ａ  周囲下端面
２Ｂ  傾斜                            
３  係合突部            ３Ａ  係合部
３Ｂ  環状部
４  受溝部
５  周壁                ５Ａ  係合凹部
６  ヒンジ
１０  キャップ本体      １０Ａ  周囲上端面
２０  上蓋              ２０Ａ  周囲下端面  
【図１】
2006117273.tif 000003
【図２】
2006117273.tif 000004
【図３】
2006117273.tif 000005
【図４】
2006117273.tif 000006
【図５】
2006117273.tif 000007
【図６】
2006117273.tif 000008
【図７】
2006117273.tif 000009
【図８】
2006117273.tif 000010